(57)【特許請求の範囲】
【請求項１】
流し台のシンク底面部に配設された排水口部に設けられる排水トラップの上端部に取り外し可能に装着され、同じく排水トラップの上端部に取付けられるゴミ収容器の上に配置される排水プレートであって、排水プレートは、排水トラップ上端部への装着を可能とした周縁部と、排水プレート中央部に位置し、周縁部の対向する部分を連結する板状の目隠し帯部と、この目隠し帯部が連結されていない周縁部の全体に連結され、且つここから排水プレートの中心に向かって下り傾斜で延設された板状の案内部とを備え、案内部は、目隠し帯部の両側端の各々の側に位置し、案内部の側端とその近くに位置する目隠し帯部の側端の間に排出口を形成していて、さらに目隠し帯部は周縁部との連結端から中央部にかけて上方に湾曲し、中央部において最も高くなる一方、最も高い中央部は、排水プレートが排水トラップ上端部に装着された時に、シンク底面部よりも上方に位置する高さとするとともに、前記周縁部との連結端から中央部に向けて上方に立ち上がる立ち上がり部と、この両方の立ち上がり部間を連結する平面部で形成され、当該平面部はその幅が均等幅であって、側端が平面視直線状である排水プレート。
【請求項２】
案内部の側端とその近くに位置する目隠し帯部の側端の間に形成する排出口の頂上部は、排水プレートが排水トラップ上端部に装着された時に、シンク底面部よりも上方に位置する高さとしている請求項１に記載の排水プレート。
【発明の詳細な説明】
【０００１】
【発明の属する技術分野】
本発明は、流し台のシンク底面部に配設された排水口部に設けられる排水トラップの上端部に取り外し可能に装着され、同じく排水トラップの上端部に取付けられるゴミ収容器の上に配置される排水プレートに関するものである。
【０００２】
【従来の技術】
図５に例示したように、流し台に設けられるシンク（５１）には、底面部（５１ａ）に排水口部（５２）が配設され、この排水口部（５２）に生ゴミ等を捕集する排水トラップが設けられている。この排水トラップには、生ゴミ等を捕集するためのゴミ収容器、例えば網カゴ等が、上端部に着脱自在に取付けられるが、同じく排水トラップの上端部には、排水プレート（Ｐ０  ）が取り外し可能に装着される。排水プレート（Ｐ０  ）は、ゴミ収容器に溜まる生ゴミ等を隠す機能をも有していて、図６に示すいわゆる菊割状のものが広く知られている。この菊割状のものは、舌状片（７３）がゴム等の弾性材で形成され、常時は閉塞状態にあり、生ゴミ等が水と共に流れ込むときに、その重量で開放するように構成されている。この菊割状の排水プレートの場合ゴム等の弾性材で形成されるため、劣化し易いという問題があった。
【０００３】
そこで、特許第２７２４５５５号で新たな排水プレートが提案されている。図７、図８は、各々、特許第２７２４５５５号で提案されている排水プレート（Ｐ０  ）についての平面図と断面図である。この排水プレート（Ｐ０  ）は、外郭縁部（６１）とその内側に形成された被覆部とから構成されており、被覆部は、上方から見てほぼ２つに分割され、一半部（６２）は、排水プレート（Ｐ０  ）の中央に向かって若干傾斜し、他半部（６３）は、一半部（６２）よりも大きく下方に傾斜している。そして、これら一半部（６２）と他半部（６３）の側端間に排出口（６４）を形成している。このような構成を有する排水プレート（Ｐ０  ）では、ゴム等の弾性体を使用する必要がないので、劣化しないものを提供できるという長所がある。
【０００４】
【発明が解決しようとする課題】
しかしながら、図７、図８に示した従来の排水プレート（Ｐ０  ）には幾つかの問題点が指摘される。
【０００５】
食品、食器等の洗浄時等には、洗浄水には一半部（６２）に向かう流れと、他半部（６３）に向かう２つの流れが形成されるが、一半部（６２）に向かう流れに乗った生ゴミ等は、直接排出口（６４）に進入することはできず、一旦他半部（６３）に流れ落ちて後に排出口（６４）に進入する。このため、他半部（６３）の側端には、一半部（６２）から流れ落ちる生ゴミ等が溜りやすい。しかも、一半部（６２）は、他半部（６３）に比較して傾斜度が小さいため、一半部（６２）に向かう流れに乗った生ゴミ等の移動停止がひとたび発生すると、後続して流れてくる生ゴミ等は次々に移動を止め、一半部（６２）には生ゴミ等の溜りが形成されることとなる。その結果、洗浄水及び生ゴミ等の排出は、他半部（６３）からの片側のみとなり、排出性能の低下をきたす。
【０００６】
さらに、図８の断面図で明らかなように、従来の排水プレート（Ｐ０  ）では、外郭縁部（６１）の内側に形成する一半部（６２）と他半部（６３）は、何れも外郭縁部（６１）の頂上よりも下方に位置する高さに形成される。そして、外郭縁部（６１）の頂上は、流し台のシンク底面部と面一の高さ、若しくは下方に位置する高さにその位置が来るように設けるので、外郭縁部（６１）の内側に形成する一半部（６２）と他半部（６３）は、何れも流し台のシンク底面部よりも下方に位置することになる。そのため、洗浄時に鍋や皿等をシンク底面部にある排水口部に置いた場合に、鍋や皿等で排水口部が封鎖されてしまい、洗浄水が排出されないという問題を生じることがある。
【０００７】
本発明は上記の事情に鑑みてなされたものであり、図７、図８に示した従来の排水プレートの上記問題点の解決を目的とするものであり、洗浄水や生ゴミ等の排出性能を向上させ、且つ、鍋や皿等をシンク底面部にある排水口部に置いた場合でも、洗浄水の排出が可能となる排水プレートを提供することを課題としている。
【０００８】
【課題を解決するための手段】
請求項１に係る発明の排水プレートは、流し台のシンク底面部に配設された排水口部に設けられる排水トラップの上端部に取り外し可能に装着され、同じく排水トラップの上端部に取付けられるゴミ収容器の上に配置される排水プレートであって、排水プレートは、排水トラップ上端部への装着を可能とした周縁部と、排水プレート中央部に位置し、周縁部の対向する部分を連結する板状の目隠し帯部と、この目隠し帯部が連結されていない周縁部の全体に連結され、且つここから排水プレートの中心に向かって下り傾斜で延設された板状の案内部とを備え、案内部は、目隠し帯部の両側端の各々の側に位置し、案内部の側端とその近くに位置する目隠し帯部の側端の間に排出口を形成していて、さらに目隠し帯部は周縁部との連結端から中央部にかけて上方に湾曲し、中央部において最も高くなる一方、最も高い中央部は、排水プレートが排水トラップ上端部に装着された時に、シンク底面部よりも上方に位置する高さとするとともに、周縁部との連結端から中央部に向けて上方に立ち上がる立ち上がり部と、この両方の立ち上がり部間を連結する平面部で形成され、当該平面部はその幅が均等幅であって、側端が平面視直線状である排水プレートである。
【０００９】
この発明の排水プレートは、目隠し帯部の両側端の各々の側に、案内部の側端と目隠し帯部の側端の間に形成される排出口があり、且つ、案内部は排水プレートの中心に向かって下り傾斜で延設されている。従って、この発明の排水プレートでは、２つの排出口から洗浄水や生ゴミ等を排出でき、且つ生ゴミ等が案内部で停止することもないので、洗浄水や生ゴミ等の排出性能が向上する。そして、目隠し帯部の最も高い中央部は、排水プレートが排水トラップ上端部に装着された時に、シンク底面部よりも上方に位置する高さとしているので、鍋や皿等をシンク底面部にある排水口部に置いた場合でも、鍋や皿等で排水口部が封鎖されてしまうことはなく、洗浄水の排出が確保される。
また、目隠し帯部の中央部分は平面部となっているので、鍋や皿等をこの平面部でガタツキなく支持することが可能となり、鍋や皿等をシンク底面部にある排水口部にガタツキなく置くことが可能となる。なお、この発明でいう平面部とは上面が平坦面となっている部分を意味している。
さらに、目隠し帯部の平面部は、その幅が均等幅であって、側端が平面視直線状となっているので、鍋や皿等を直線状となっている目隠し帯部側端の辺でガタツキなく支持することが可能となり、鍋や皿等をシンク底面部にある排水口部に置いたときに、鍋や皿等を目隠し帯部中央の平面部の面で支持できない状態になった場合でも、直線状となっている目隠し帯部側端の辺でガタツキなく支持することができる。
【００１４】
請求項４に係る発明の排水プレートは、案内部の側端とその近くに位置する目隠し帯部の側端の間に形成する排出口の頂上部は、排水プレートが排水トラップ上端部に装着された時に、シンク底面部よりも上方に位置する高さとしている請求項１から請求項３までの何れかに記載の排水プレートである。
【００１５】
この発明の排水プレートでは、排出口の頂上部は、排水プレートが排水トラップ上端部に装着された時に、シンク底面部よりも上方に位置する高さとしているので、鍋や皿等をシンク底面部にある排水口部に置いた場合の排出口の封鎖程度がより少なくなるので、洗浄水の排出確保がさらに良好となる。
【００１６】
【発明の実施の形態】
図面を使って、請求項１乃至２の発明に対応する実施の形態を説明する。図１は請求項１乃至２の発明に対応する実施形態を示した平面図であり、図２は図１に示した排水プレートのＡ−Ａ断面図であり、図３は図１に示した排水プレートのＢ−Ｂ断面図であり、図４は図１に示した排水プレートの排水トラップへの装着状態を示した断面図である。
【００１７】
図１〜図４に示したように、この実施の形態の排水プレート（Ｐ）は図７、図８に示した従来の排水プレート（Ｐ０  ）と同様に、流し台のシンク底面部（５１ａ）に配設された排水口部（５２）に設けられる排水トラップ（２１）の上端部に取外し可能に装着され、同じく排水トラップ（２１）の上端部に取付けられる網カゴ等のゴミ収容器（２２）の上に配置される。
【００１８】
一方、この実施の形態の排水プレート（Ｐ）は、排水トラップ（２１）の上端部への装着を可能とした周縁部（１）と、排水プレート（Ｐ）の中央部に位置し、周縁部（１）の対向する部分（１ａ）を連結する板状の目隠し帯部（２）と、目隠し帯部（２）が連結されていない周縁部（１ｂ）の全体に連結され、かつここから排水プレート（Ｐ）の中心（Ｏ）に向かって下り傾斜で延設された板状の案内部（３）とを備えている。案内部（３）は、図１〜図４に示したように、目隠し帯部（２）の両側端（２ａ）の各々の側に位置している。好ましくは、案内部（３）は、洗浄水、生ゴミ等を排出しやすくするために、凹曲面状とする。そして、案内部（３）とその近くに位置する目隠し帯部（２）の側端（２ａ）の間に排出口（４）を形成している。
【００１９】
さらに、この実施の形態の排水プレート（Ｐ）は、目隠し帯部（２）を周縁部（１）との連結端（２ｂ）から中央部（２ｃ）にかけて、上方に湾曲させ、中央部（２ｃ）において最も高くなるようにしている。そして、図４に示したように、目隠し帯部（２）の最も高い中央部（２ｃ）及び案内部（３）の側端（３ａ）とその近くに位置する目隠し帯部（２）の側端（２ａ）の間に形成する排出口（４）の頂上部（４ａ）は、排水プレート（Ｐ）が排水トラップ（２１）の上端部に装着された時に、シンク底面部（５１ａ）よりも上方に位置する高さとしている。
【００２０】
また、この実施の形態の排水プレート（Ｐ）の目隠し帯部（２）は、図３で示すように、目隠し帯部（２）が周縁部（１）との連結端（２ｂ）から中央部（２ｃ）に向けて上方に立ち上がる立ち上がり部（２ｄ）とこの両側の立ち上がり部（２ｄ）間を連結する平面部（２ｅ）で構成されている。そして、目隠し帯部（２）の平面部（２ｅ）は図１で明らかなように、その幅が均等幅であって、側端（２ａ）が平面視直線状となっている。
【００２１】
以上の構成を有するこの実施の形態の排水プレート（Ｐ）は、図４に示したように、排水トラップ（２１）の上端部取付けられるゴミ収容器（２２）の上方に位置するため、ゴミ収容器（２２）に捕集される生ゴミ等をこの目隠し帯部（２）によりある程度隠すことができる。
【００２２】
また、この実施の形態の排水プレート（Ｐ）は、目隠し帯部（２）を挟んで両側に同様な構成を有する案内部（３）及び排出口（４）を２つ備え、それぞれの案内部（３）は、図１に示すように中心線（Ｃ）に対して対称若しくは略対称に配置されている。従って、この実施の形態の排水プレート（Ｐ）では、食品、食器等の洗浄時には、これら２つの排出口（４）から洗浄水及び生ゴミ等を排出することができる。目隠し帯部（２）の両側端（２ａ）の各々の側に位置する案内部（３）は、排水プレート（Ｐ）の中心（Ｏ）に向かって下り傾斜になっているため、生ゴミ等は案内部（３）で停止することなく、洗浄水の流れに乗って、排出口（４）から排出される。しかも、洗浄水の流れは、両案内部（３）においてほぼ等しく、排水プレート（Ｐ）の下側に位置するゴミ収容器（２２）には、生ゴミ等が全体に均一に溜まることとなる。従って、図６、図７に示した排出口（６４）が１つしかない従来の排水プレート（Ｐ０  ）に比べ洗浄水や生ゴミ等の排出性能が向上する。この排出性能の向上と共に、この実施の形態の排水プレート（Ｐ）では、目隠し帯部（２）の最も高い中央部（２ｃ）は、排水プレート（Ｐ）が排水トラップ（２１）上端部に装着された時に、シンク底面部（５１ａ）よりも上方に位置する高さとしているので、鍋や皿等をシンク底面部（５１ａ）にある排水口部（５２）に置いた場合でも、鍋や皿等で排水口部（５２）が完全に封鎖されてしまうことはなく、シンク底面部（５１ａ）と、鍋や皿等の間に間隙を生じさせるので、洗浄水を排出することができる。
【００２３】
そして、この実施の形態の排水プレート（Ｐ）では、目隠し帯部（２）が、周縁部（１）との連結端（２ｂ）から中央部（２ｃ）に向けて上方に立ち上がる立ち上がり部（２ｄ）と、この両方の立ち上がり部間を連結する平面部（２ｅ）で形成されている。このように、目隠し帯部（２）の中央が平面部（２ｅ）となっていると、鍋や皿等をこの平面部（２ｅ）でガタツキなく支持することが可能となり、鍋や皿等をシンク底面部（５１ａ）にある排水口部（５２）にガタツキなく置くことが可能となる。
【００２４】
また、この実施の形態の排水プレート（Ｐ）では、目隠し帯部（２）の平面部（２ｅ）は、その幅が均等幅であって、側端（２ａ）が平面視直線状となっている。従って、鍋や皿等を直線状となっている目隠し帯部（２）の側端（２ａ）でガタツキなく支持することが可能となり、鍋や皿等をシンク底面部（５１ａ）にある排水口部（５２）に置いたときに、鍋や皿等を目隠し帯部（２）中央の平面部（２ｅ）の面で支持できない状態になった場合でも、直線状となっている目隠し帯部（２）の側端（２ａ）の辺でガタツキなく支持することができる。
【００２５】
さらに、請求項２に係る発明に対応する形態として、この実施の形態の排水プレート（Ｐ）は、案内部（３）の側端（３ａ）とその近くに位置する目隠し帯部（２）の側端（２ａ）の間に形成する排出口（４）の頂上部（４ａ）は、排水プレート（Ｐ）が排水トラップ（２１）上端部に装着された時に、シンク底面部（５１ａ）よりも上方に位置する高さとしている。従って、鍋や皿等をシンク底面部（５１ａ）にある排水口部（５２）に置いた場合でも、鍋や皿等で排水口部（５２）が完全に封鎖されてしまうことはなく、シンク底面部（５１ａ）と、鍋や皿等の間に少なくとも目隠し帯部（２）の厚みより大きな間隙を生じさせるので、鍋や皿等による排出口の封鎖程度がより少なくなるので、洗浄水の排出確保がさらに良好となる。
【００２６】
【発明の効果】
上述の如く、請求項１に係る発明の排水プレートは、目隠し帯部の両側端の各々の側に、案内部の側端と目隠し帯部の側端の間に形成される排出口があり、且つ、案内部は排水プレートの中心に向かって下り傾斜で延設されている。従って、この発明の排水プレートでは、２つの排出口から洗浄水や生ゴミ等を排出でき、且つ生ゴミ等が案内部で停止することもないので、洗浄水や生ゴミ等の排出性能が向上する。そして、目隠し帯部の最も高い中央部は、排水プレートが排水トラップ上端部に装着された時に、シンク底面部よりも上方に位置する高さとしているので、鍋や皿等をシンク底面部にある排水口部に置いた場合でも、鍋や皿等で排水口部が封鎖されてしまうことはなく、洗浄水の排出が確保される。
また、目隠し帯部の中央部分は平面部となっているので、鍋や皿等をこの平面部の面でガタツキなく支持することが可能となり、鍋や皿等をシンク底面部にある排水口部にガタツキなく置くことが可能となる。
さらに、目隠し帯部の平面部は、その幅が均等幅であって、側端が平面視直線状となっているので、鍋や皿等を直線状となっている目隠し帯部側端の辺でガタツキなく支持することが可能となり、鍋や皿等をシンク底面部にある排水口部に置いたときに、鍋や皿等を目隠し帯部中央の平面部の面で支持できない状態になった場合でも、直線状となっている目隠し帯部側端の辺でガタツキなく支持することができるようになる。
【００２９】
請求項２に係る発明の排水プレートでは、排出口の頂上部は、排水プレートが排水トラップ上端部に装着された時に、シンク底面部よりも上方に位置する高さとしているので、鍋や皿等をシンク底面部にある排水口部に置いた場合の排出口の封鎖程度がより少なくなるので、洗浄水の排出確保がさらに良好となる。
【図面の簡単な説明】
【図１】請求項１〜請求項４の発明に対応する実施形態を示した平面図である。
【図２】図１に示した排水プレートのＡ−Ａ断面図である。
【図３】図１に示した排水プレートのＢ−Ｂ断面図である。
【図４】図１に示した排水プレートの排水トラップへの装着状態を示した断面図である。
【図５】流し台のシンクを示した要部斜視図である。
【図６】従来の排水プレートの一例を示した斜視図である。
【図７】従来の排水プレートの他の一例を示した平面図である。
【図８】図７に示した従来の排水プレートの断面図である。
【符号の説明】
Ｐ  排水プレート
Ｏ    中心
Ｃ    中心線
１    周縁部
１ａ    対向部分
１ｂ    目隠し帯部が連結されていない部分
２    目隠し帯部
２ａ    側端
２ｂ    連結端
２ｃ    中央部
２ｄ    立ち上がり部
２ｅ    平面部
３    案内部
３ａ    側端
４    排出口
４ａ    頂上部
２１    排水トラップ
２２    ゴミ収容器
５１    シンク
５１ａ    底面部
５２    排水口部
【図１】
0003591386.tif 000002
【図２】
0003591386.tif 000003
【図３】
0003591386.tif 000004
【図４】
0003591386.tif 000005
【図５】
0003591386.tif 000006
【図６】
0003591386.tif 000007
【図７】
0003591386.tif 000008
【図８】
0003591386.tif 000009